(57)【要約】【課題】  作業機において、後部上方の空間部位にスライドヒッチを左右方向に沿うように配置し、スライドヒッチの農具ホルダに農具をスライドヒッチの上面に左右方向に沿うように保持し、農具の保持を安定し、農具の取り付け取り外しを容易にする。【解決手段】  作業車両の後部に連結する作業機（１）であって、該作業機（１）の後部上方の空間部位にスライドヒッチ（２５）を前後調節可能に取り付け、該スライドヒッチ（２５）を前記作業機（１）の作業幅と略同幅で左右方向に沿うように略水平状に配設し、該スライドヒッチ（２５）の上面に左右農具ホルダ（３１，３１）を左右に所定間隔開けて配設し、該左右農具ホルダ（３１，３１）に鍬などの農具（３３）をスライドヒッチ（２５）の上面に左右方向に沿うように保持する。【選択図】図４
2017212917.tif 000002
【特許請求の範囲】
【請求項１】
作業車両の後部に連結する作業機（１）であって、該作業機（１）の後部上方の空間部位にスライドヒッチ（２５）を前後調節可能に取り付け、該スライドヒッチ（２５）を前記作業機（１）の作業幅と略同幅で左右方向に沿うように略水平状に配設し、該スライドヒッチ（２５）の上面に左右農具ホルダ（３１，３１）を左右に所定間隔開けて配設し、該左右農具ホルダ（３１，３１）に鍬などの農具（３３）をスライドヒッチ（２５）の上面に左右方向に沿うように保持したことを特徴とする作業機の農具ホルダ。
【請求項２】
請求項１の発明において、前記左右農具ホルダ（３１，３１）の上部には側面視で前後両側部が高く中間部が順次低くなるＶ字溝（３１ａ）を構成し、該Ｖ字溝（３１ａ）により農具（３３）を前後から挟むように保持したことを特徴とする作業機の農具ホルダ。
【請求項３】
請求項１又は請求項２の発明において、前記農具ホルダ（３１，３１）の前後一端部には伸縮性のある弾性材（３５）を保持し、農具ホルダ（３１，３１）の前後他端部に前記弾性材（３５）の先端側を係止するフック（３１ｃ）を設けたことを特徴とする作業機の農具ホルダ。
【請求項４】
請求項２の発明において、前記左右農具ホルダ（３１，３１）のＶ字溝（３１ａ）の上方に押圧板（３７）を対向配置し、左右農具ホルダ（３１）の前後一側に支架した左右方向のピン（３８）で該押圧板（３７）を上下回動自在に取り付け、該押圧板（３７）には下方に回動するように付勢するトルク・スプリング（３９）を介装し、農具（３３）を押圧板（３７）で上側から押圧保持したことを特徴とする作業機の農具ホルダ。
【請求項５】
請求項４の発明において、前記押圧板（３７）の先端側には基端側から離れるほど上側に湾曲した操作片（３７ｃ）を設けたことを特徴とする作業機の農具ホルダ。
【発明の詳細な説明】
【技術分野】
【０００１】
本発明は、作業機の農具ホルダに関するものである。
【背景技術】
【０００２】
トラクタの後部には三点リンク機構を介して昇降自在にロータリ耕耘装置を連結し、ロータリ耕耘装置の機枠から後方に延出している支持フレームにスコップなどの農具を取り付ける用具ホルダを設けたものがある。
【０００３】
そして、この用具ホルダは左右保持金具と、縛り付けるゴムバンドとから構成され、側面視でＵ字形の左右保持金具にスコップを上方から挿入し、ゴムバンドでスコップを縛り付け保持するようにしたものである。
【先行技術文献】
【特許文献】
【０００４】
【特許文献１】特開２０１２−７０７０４号公報
【発明の概要】
【発明が解決しようとする課題】
【０００５】
前記背景技術のものは、左右保持金具の左右幅が狭く、左右保持金具だけ農具を保持する構成であるために、農具の保持が安定せず、また、左右保持金具は作業機の前後左右の中央部に配置されていて、しかもその上方には高さ調整装置を配置している関係で、農具の取り付け取り外しがしにくいという不具合があった。
【０００６】
そこで、本発明は、作業機の後部上方の空間部位にスライドヒッチを左右方向に沿うように配置し、該スライドヒッチに配設している農具ホルダに鍬などの農具をスライドヒッチの上面に左右方向に沿うように保持し、農具の保持を安定化すると共に、農具ホルダへの農具の取り付け取り外しを容易にしようとするものである。
【課題を解決するための手段】
【０００７】
前記技術的課題を解決するために本発明は次のような技術的手段を講じた。
【０００８】
請求項１の発明は、作業車両の後部に連結する作業機（１）であって、該作業機（１）の後部上方の空間部位にスライドヒッチ（２５）を前後調節可能に取り付け、該スライドヒッチ（２５）を前記作業機（１）の作業幅と略同幅で左右方向に沿うように略水平状に配設し、該スライドヒッチ（２５）の上面に左右農具ホルダ（３１，３１）を左右に所定間隔開けて配設し、該左右農具ホルダ（３１，３１）に鍬などの農具（３３）をスライドヒッチ（２５）の上面に左右方向に沿うように保持したことを特徴とする作業機の農具ホルダである。
【０００９】
請求項２の発明は、請求項１の発明において、前記左右農具ホルダ（３１，３１）の上部には側面視で前後両側部が高く中間部が順次低くなるＶ字溝（３１ａ）を構成し、該Ｖ字溝（３１ａ）により農具（３３）を前後から挟むように保持したことを特徴とする作業機の農具ホルダである。
【００１０】
請求項３の発明は、請求項１又は請求項２の発明において、前記農具ホルダ（３１，３１）の前後一端部には伸縮性のある弾性材（３５）を保持し、農具ホルダ（３１，３１）の前後他端部に前記弾性材（３５）の先端側を係止するフック（３１ｃ）を設けたことを特徴とする作業機の農具ホルダである。
【００１１】
請求項４の発明は、請求項２の発明において、前記左右農具ホルダ（３１，３１）のＶ字溝（３１ａ）の上方に押圧板（３７）を対向配置し、左右農具ホルダ（３１）の前後一側に支架した左右方向のピン（３８）で該押圧板（３７）を上下回動自在に取り付け、該押圧板（３７）には下方に回動するように付勢するトルク・スプリング（３９）を介装し、農具（３３）を押圧板（３７）で上側から押圧保持したことを特徴とする作業機の農具ホルダである。
【００１２】
請求項５の発明は、請求項４の発明において、前記押圧板（３７）の先端側には基端側から離れるほど上側に湾曲した操作片（３７ｃ）を設けたことを特徴とする作業機の農具ホルダである。
【発明の効果】
【００１３】
請求項１の発明によると、作業機（１）の後側上方の空間部位に作業幅と略同幅のスライドヒッチ（２５）を左右方向に沿うように且つ略水平状に配設し、スライドヒッチ（２５）の上面に左右農具ホルダ（３１，３１）を配置し、左右農具ホルダ（３１，３１）に鍬などの農具（３３３）をスライドヒッチ（２５）の上面に左右方向に沿うように保持したので、農具（３３）の左右両側部をスライドヒッチ（２５）の上面で支持することもできて保持が安定し、また、農具（３３）の保持位置が作業機（１）の後側上方の空間部位であるので、農具（３３）を障害物に煩わされずに取り付け取り外しを容易にすることができる。また、スライドヒッチ（２５）を後方へ移動調節して補助作業機を取り付けている複合作業の場合には、補助作業機の近くいるオペレータは農具（３３）を取り外し、補助作業機の泥土を容易に除去することができる。
【００１４】
請求項２の発明によると、左右農具ホルダ（３１，３１）の上部には側面視で前後両側部が高く中間部が順次低くなるＶ字溝（３１ａ）を構成したことにより、様々な太さの農具（３３）をＶ字状溝（３１ａ）で前後方向の動きを規制し、農具（３３）を安定して保持することができる。
【００１５】
請求項３の発明によると、農具ホルダ（３１，３１）のＶ字状溝（３１ａ）に載置した農具（３３）を弾性材（３５）により圧縮保持して前後方向の動きを規制し、農具（３３）を安定して保持することができる。
【００１６】
請求項４の発明によると、農具ホルダ（３１）のＶ字溝（３１ａ）に載置した農具（３３）を押圧板（３７）により押圧保持し、農具（３３）を安定して保持することができる。
【００１７】
請求項５の発明によると、押圧板（３７）の先端側に基端側から離れるほど上側に湾曲した操作片（３７ｃ）を設けたことにより、農具（３３）で操作片（３７ｃ）を押し広げながら解放し装着することができ、農具（３３）を容易に装着することができる。
【図面の簡単な説明】
【００１８】
【図１】トラクタにロータリ耕耘装置を装着した状態の側面図。
【図２】ロータリ耕耘装置の斜視図。
【図３】ロータリ耕耘装置のスライドヒッチ、農具ホルダの斜視図。
【図４】スライドヒッチの農具ホルダに鍬を保持した状態の斜視図。
【図５】農具ホルダの分解した斜視図。
【図６】スライドヒッチ、農具ホルダ、鍬の斜視図。
【図７】農具ホルダ、鍬の柄の切断側面図。
【図８】農具ホルダの斜視図、平面図、斜視図。
【図９】農具ホルダの斜視図、平面図、斜視図。
【図１０】スライドヒッチ、農具ホルダの斜視図、側面図。
【図１１】スライドヒッチ、農具ホルダの斜視図、分解した切断側面図。
【発明を実施するための形態】
【００１９】
以下、本発明の実施の形態について図面を参照しながら説明する。
【００２０】
図１及び図２に示すように、トラクタ２の後部には三点リンク機構３を介して昇降自在にロータリ耕耘装置１が連結されている。
【００２１】
このロータリ耕耘装置１は、三点リンク機構３に取り付けられる機枠４と、この機枠４の下部に設けられた耕耘部５と、この耕耘部５を覆うロータリカバー６と、前記機枠４に後方延出状に設けられた支持フレーム７等から構成されている。
【００２２】
このロータリ耕耘装置１は、例えばサイドドライブ型に構成されていて、機枠４は、中央のギヤボックス８から左右にパイプ材からなる耕耘フレーム９，９が突設され、左側の耕耘フレーム９の外端に耕耘伝動ケース１０の上部が固定され、右側の耕耘フレーム９の外端にサイドフレーム１１の上部が固定され正面視門型状に構成されている。
【００２３】
耕耘部５は、耕耘伝動ケース１０とサイドフレーム１１との下部間に、左右方向の軸心回りに回転自在に支架されている耕耘軸１２と、この耕耘軸１２に取り付けられた多数の耕耘爪１３とから構成されている。
【００２４】
ギヤボックス８にはトラクタ２のＰＴＯ軸（図示省略）から動力が伝達され、左側耕耘フレーム９，９内の伝動軸、耕耘伝動ケース１０内の動力伝達機構を介して耕耘軸１２に伝達される構成である。
【００２５】
ロータリカバー６は、耕耘部５の上方を覆う上部耕耘カバー１４と、耕耘部５の後方を覆うリヤカバー１５と、耕耘部５の左右側方を覆うサイドカバー１６とで構成されている。リヤカバー１５は上部耕耘カバー１４の後端側に左右方向の軸心回りに上下揺動自在に枢支されていて、リヤカバー１５を接地方向に押圧する押圧装置１７が設けられている。
【００２６】
支持フレーム７は、左右耕耘フレーム９，９から後方に延びる左右側枠体２３，２３と、左右側枠体２３，２３の後側部を連結する連結枠体２４と、左右の側枠体２３，２３の後側部に取り付けられているスライドヒッチ２５とで構成されていている。
【００２７】
このスライドヒッチ２５は、図２，図３に示すように、例えば左右方向に沿う角チューブでロータリ耕耘装置１の耕耘幅と同幅になるように幅広く構成されている。スライドヒッチ２５には左右取り付け棒２５ａ，２５ａが前側に突出するように取り付けられていて、パイプ状の左右側枠体２３，２３に左右取り付け棒２５ａ，２５ａを挿入し、セット孔にピンを挿通し前後調節可能に取り付けられている。
【００２８】
左右の側枠体２３，２３の前端側は、耕耘フレーム９，９に固定されたブラケット（図示省略）に左右方向の軸心回りに上下回動自在に枢支されている。ギヤボックス８のブラケットと支持フレーム７の左右側枠体２３とにわたって、左右側枠体２３，２３の高さを調整する高さ調整装置２８が設けられている。この高さ調整装置２８は、例えばハンドルによってネジ杆を軸心回りに回転させることにより長さが調整される構成である。
【００２９】
次に、スライドヒッチ２５に設ける農具ホルダ３１，３１について説明する。
【００３０】
ロータリ耕耘装置１のスライドヒッチ２５には鍬３３などの農具を取り付ける農具ホルダ３１，３１を取り付けている。
【００３１】
図３〜図１０に示すように、ロータリ耕耘装置１の耕耘部５の後側上方の空間部に位置するようにスライドヒッチ２５を設けている。スライドヒッチ２５は耕耘部５の耕耘幅と略同幅になるように左右方向に長く略水平状の枠体で構成されていて、枠体の上面には左右一対の農具ホルダ３１，３１を所定間隔開けて配設している。
【００３２】
この左右農具ホルダ３１，３１は、例えば図３に示すように、左右側枠体２３，２３の左右内側に位置するようにスライドヒッチ２５の左右中央部に所定間隔開けて配設している。
【００３３】
なお、図４、図１１に示すように、左右農具ホルダ３１、３１をスライドヒッチ２５の左右一側に片寄せて配置してもよい。
【００３４】
左右農具ホルダ３１，３１の上部には側面視で前後両側部が高く中間部が順次低くなるＶ字溝３１ａ，３１ａを構成し、Ｖ字溝３１ａ，３１ａに農具である鍬３３の柄３１ａを左右方向に沿うようにして落とし込み嵌合する。そして、ゴムバンド３５で上側から押さつけるようにして押圧保持し、鍬３３の太い柄３３ａや細い柄３３ａにも伸縮しなじみながら押圧保持し確実に保持するようにしている。
【００３５】
また、図４に示すように、鍬３３の柄３１ａを左右農具ホルダ３１，３１のＶ字溝３１ａ，３１ａに嵌合支持し、鍬３３の刃体３３ｂの下端をスライドヒッチ２５の上側面で接触支持するようにすると、左右に重さが偏っていても安定して保持することができる。
【００３６】
次に、図６について説明する。
【００３７】
ゴムバンド３５を細長いループ状に構成し、農具ホルダ３１の前側部の屈曲取り付け部３１ｂでゴムバンド３５の基端部を圧縮保持状態で固定し、農具ホルダ３１の後側部の係止フック３１ｃにゴムバンド３５の先端部を係止し、ゴムバンド３５の先端部には基端部から離れる方向に延長する握り平面部３５ａを構成している。
【００３８】
前記構成によると、ゴムバンド３５の握り平面部３５ｂをつかみ引っ張ることにより係止フック３１ｃへの係止が容易となり、農具ホルダ３１のＶ字溝３１ａへの鍬３３の保持を容易にし、ゴムバンド３５の外れを防止することができる。
【００３９】
また、図８に示すように、農具ホルダ３１，３１のＶ字溝３１ａ，３１ａの上部左右側には前後方向の左右一対の溝３１ｅ，３１ｅをそれぞれ設け、ループ状のゴムバンド３５を溝３１ｅ，３１ｅにそれぞれ係止するようにすると、ゴムバンド３５の左右へのずれを防止し確実に保持することができる。
【００４０】
また、図９に示すように、ゴムバンド３５を幅広のゴム板で構成し、農具ホルダ３１，３１のＶ字溝３１ａ，３１ａの前後両側部には左右方向の幅の広い溝３１ｅ，３１ｅを構成し、ゴムバンド３５の左右両端を溝３１ｅ，３１ｅの左右両側部で位置決め係止し外れないようにしてもよい。
【００４１】
次に、図１０について説明する。
【００４２】
この実施形態は例えば金属製（あるいは合成樹脂製）の押圧板３７を合成樹脂製の農具ホルダ３１，３１に取り付け、押圧板３７で鍬３３を保持しようとするものである。図１０（Ａ），（Ｂ），（Ｃ）に示すように、押圧板３７を、側面視で前後方向中央部が上側に屈曲している側面視円弧部３７ａと、円弧部３７ａの前端に前上がり傾斜状に延設している前側押圧片３７ｂとで構成している。
【００４３】
農具ホルダ３１，３１の前側上部にセットボルト３８で押圧板３７の円弧部３７ａ前端を上下回動自在に軸支すると共に、コイルスプリング３９で閉鎖しがちに押圧付勢し、鍬３３の柄３３ａを押圧板３７と農具ホルダ３１で押圧保持するようにしている。
【００４４】
しかして、押圧板３７の前側押圧片３７ｂを手で押さえて円弧部３７ａを上方に解放し、円弧部３７の下側に鍬３３の柄３３ａを挿入し、手を放すことにより保持が完了し迅速化し、押圧板３７を鉄板あるいは合成樹脂で構成することにより、強固となり耐久性を高めることができる。
【００４５】
また、図１０（Ｄ），（Ｅ）に示すように、円弧部３７ａの後端に後上がり傾斜状の後側操作片３７ｃを追加すると、鍬３３の柄３３ａで後側操作片３７ｃに押し開けて押圧板３７を開放し、鍬３３を容易にセットすることができる。
【００４６】
また、押圧板３７の円弧部３７ａの下面にゴムなどの弾性材４０を張り付け、鍬３３の柄３３ａを弾性材４０で押圧保持すると、柄３３ａの種々の太さに対応し確実に保持できることができる。
【００４７】
また、農具ホルダ３１を図１１のように構成してもよい。樹脂製の農具ホルダ３１，３１のＶ字溝３１ａに金属製のカラー４１を上下方向に埋設して一体成型し、カラー４１にボルト４２を上方から挿入しスライドヒッチ２５にボルト締結すると、スライドヒッチ２５に農具ホルダ３１を強固に取り付けることができる。
【００４８】
また、圃場の作業ではスライドヒッチ２５を後方へ移動調節し畔立て器などの補助作業機（図示省略）を取り付けて複合作業をする場合がある。このような場合には、オペレータはロータリ耕耘装置１の後方の補助作業機の近くから鍬３３などの農具を容易に取り外し、補助作業機の付着した泥土を除去することができる。
【符号の説明】
【００４９】
１    作業機（ロータリー耕耘装置）
４    機枠
５    耕耘部
７    支持フレーム
２３    側枠体
２４    連結枠体
２５    スライドヒッチ
３１    農具ホルダ
３１ａ    Ｖ字溝
３３    農具（鍬）
３５    ボムバンド
３７    押圧板
【図１】
2017212917.tif 000003
【図２】
2017212917.tif 000004
【図３】
2017212917.tif 000005
【図４】
2017212917.tif 000006
【図５】
2017212917.tif 000007
【図６】
2017212917.tif 000008
【図７】
2017212917.tif 000009
【図８】
2017212917.tif 000010
【図９】
2017212917.tif 000011
【図１０】
2017212917.tif 000012
【図１１】
2017212917.tif 000013